(57)【要約】【課題】太陽光発電パネルを架台に取り付けるための太陽光発電パネル用取付具において、太陽光発電パネルを安定して支持可能な技術を提供する。【解決手段】梁部材の上面には、当該梁部材のＸ方向に延在する溝と、溝に沿って延在するとともに太陽光発電パネルの側端部を載置可能であって平坦な載置部と、が形成されており、太陽光発電パネル用取付具は、溝の延在方向における任意の位置において、溝の内部に挿入されて溝の内壁に形成された被係合部と係合する係合部材と、被係合部に係合した係合部材に連結されることで溝の外部において載置部に対向するようにして設置される挟着部材と、を備え、挟着部材は、載置部に載置された太陽光発電パネルを載置部へ押圧することによって、載置部との間に太陽光発電パネルを挟着する。【選択図】図９
2019146306.tif 000002
【特許請求の範囲】
【請求項１】
太陽光発電パネルを支持する架台の梁部材に太陽光発電パネルを取り付けるための太陽光発電パネル用取付具であって、
前記梁部材の上面には、当該梁部材の延伸方向に延在する溝と、前記溝に沿って延在するとともに前記太陽光発電パネルの側端部を載置可能であって平坦な載置部と、が形成されており、
前記太陽光発電パネル用取付具は、
前記溝の延在方向における任意の位置において、前記溝の内部に挿入されて前記溝の内壁に形成された被係合部と係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着する、
太陽光発電パネル用取付具。
【請求項２】
前記挟着部材は、ゴム材料で形成されて前記太陽光発電パネルとの当接箇所に設けられたゴム製当接部を有する、
請求項１に記載の太陽光発電パネル用取付具。
【請求項３】
前記挟着部材は、前記ゴム製当接部を保持する保持部を有し、
前記ゴム製当接部は、前記太陽光発電パネルの上面に当接する上面当接部と、前記上面当接部に連なるとともに前記太陽光発電パネルの側端面に当接する側端面当接部と、を有し、
前記保持部は、前記ゴム製当接部の前記上面当接部における上面に当接する水平保持部と、前記ゴム製当接部の前記側端面当接部における側端面に当接する垂直保持部と、前記ゴム製当接部の前記側端面当接部における下端面に当接することで、前記水平保持部とによって前記ゴム製当接部を挟持するゴム止め部と、を有する、
請求項２に記載の太陽光発電パネル用取付具。
【請求項４】
前記係合部材に連結される姿勢維持部材を備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持される、
請求項１から３の何れか１項に記載の太陽光発電パネル用取付具。
【請求項５】
前記姿勢維持部材は、前記挟着部材を支持する支持部を有し、
前記挟着部材が前記被係合部に係合した前記係合部材と連結され、且つ、前記太陽光発電パネルが挟着されていない状態では、前記付勢部が前記溝の内壁を付勢することによって、前記支持部に支持された前記挟着部材の姿勢が前記梁部材から浮いた姿勢に維持される、
請求項４に記載の太陽光発電パネル用取付具。
【請求項６】
太陽光発電パネルを支持する架台の梁部材に太陽光発電パネルを取り付けるための太陽光発電パネルの取付構造であって、
前記梁部材の上面に形成され、当該梁部材の延伸方向に延在する溝と、
前記梁部材の上面に形成され、前記溝に沿って延在するとともに前記太陽光発電パネルの側端部を載置可能であって平坦な載置部と、
前記溝の延在方向における任意の位置において、前記溝の内部に挿入されて前記溝の内壁に形成された被係合部に係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着する、
太陽光発電パネルの取付構造。
【発明の詳細な説明】
【技術分野】
【０００１】
本発明は、太陽光発電パネル用取付具、及び太陽光発電パネルの取付構造に関する。
【背景技術】
【０００２】
近年、エネルギー源不足やＣＯ２の排出抑制を背景として、太陽エネルギーを利用する太陽光発電が急速に普及しており、複数枚の太陽光発電パネルを縦横に平面的（２次元的）に並設することにより大きな発電量を得る太陽光発電アレイが一般化している。更には、多数基の太陽光発電アレイを並設した大規模太陽光発電プラント（いわゆる、メガソーラーやギガソーラー）の建設も盛んとなっている。
【０００３】
これに関連して、特許文献１には、前後方向に沿う複数本の上位側の縦桟と左右方向に沿う複数本の下位側の横桟とが格子状に連結された架台に対して太陽光発電パネルを取り付け可能とするパネル取付金具が記載されている。特許文献１に記載のパネル取付金具は、パネル上面規制フランジとばね係合保持台に保持されたパネル押圧バネとによって太陽光発電パネルを上下面から挟持する。特許文献１では、１枚の太陽光発電パネルに対して４組のパネル取付金具を使用し、太陽光発電パネルを前後辺における２箇所（計４箇所）においてパネル取付金具によって挟持することで架台に取り付けている。
【先行技術文献】
【特許文献】
【０００４】
【特許文献１】特開２０１８−７３４２号公報
【発明の概要】
【発明が解決しようとする課題】
【０００５】
しかしながら、上述のような太陽光発電パネルの取り付け方法では、太陽光発電パネルを前後辺の４箇所で取り付け、また、パネル押圧バネのみによって太陽光発電パネルを下方から支持する構成となっていることから、太陽光発電パネルを下方から支える支持面の面積が十分に確保されない場合がある。その場合、太陽光発電パネルが自重で撓んでしまうといった、太陽光発電パネルの支持が不安定となる問題があった。また、上述の方法では、太陽光発電パネルが少なくとも１本の縦桟を跨るようにして架台に取り付けられることとなる。これにより、架台の下方から見たときに太陽光発電パネルの裏側面の一部が縦桟によって隠れた状態となる。このような状態で、表裏両面を受光面とする両面受光タイプの太陽光発電パネルを取り付けた場合、縦桟によって隠蔽された裏側面の一部において受光量が低下し、結果、発電効率が低下する虞がある。
【０００６】
本発明は、上記の問題に鑑みてなされたものであって、その目的は、太陽光発電パネルを架台に取り付けるための太陽光発電パネル用取付具において、太陽光発電パネルを安定して支持可能な技術を提供することである。
【課題を解決するための手段】
【０００７】
上記課題を解決するため、本発明は、以下の手段を採用した。
【０００８】
即ち、本発明は、太陽光発電パネルを支持する架台の梁部材に太陽光発電パネルを取り付けるための太陽光発電パネル用取付具であって、
前記梁部材の上面には、当該梁部材の延伸方向に延在する溝と、前記溝に沿って延在するとともに前記太陽光発電パネルの側端部を載置可能であって平坦な載置部と、が形成されており、
前記太陽光発電パネル用取付具は、
前記溝の延在方向における任意の位置において、前記溝の内部に挿入されて前記溝の内壁に形成された被係合部と係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着する。
【０００９】
本発明に係る太陽光発電パネル用取付具によれば、載置部が溝に沿って延在して設けられていることから、太陽光発電パネルの側端部の略全域を支持することができる。これにより、太陽光発電パネルを支持する支持面の面積を十分に確保することができるため、太陽光発電パネルを安定して支持することができる。
【００１０】
また、前記挟着部材は、ゴム材料で形成されて前記太陽光発電パネルとの当接箇所に設けられたゴム製当接部を有してもよい。これによれば、ガラス板で構成された太陽光発電パネルが挟着部材との当接によって破損することを抑制することができる。また、太陽光発電パネルを構成するガラスの膨張を吸収することができる。
【００１１】
更に、前記挟着部材は、前記ゴム製当接部を保持する保持部を有し、
前記ゴム製当接部は、前記太陽光発電パネルの上面に当接する上面当接部と、前記上面当接部に連なるとともに前記太陽光発電パネルの側端面に当接する側端面当接部と、を有し、
前記保持部は、前記ゴム製当接部の前記上面当接部における上面に当接する水平保持部と、前記ゴム製当接部の前記側端面当接部における側端面に当接する垂直保持部と、前記ゴム製当接部の前記側端面当接部における下端面に当接することで、前記水平保持部とによって前記ゴム製当接部を挟持するゴム止め部と、を有してもよい。これによれば、太陽光発電パネルによって押圧されたゴム製当接部が側端面当接部の下端から逃げることが抑制されている。これにより、太陽光発電パネルを架台に取り付けた状態において、ゴム製当接部を圧縮した状態にしておくことができる。その結果、ゴム製当接部が引っ張られた状態にしておく場合と比較して、ゴムの経年劣化を抑制することができる。
【００１２】
更に、本発明は、前記係合部材に連結される姿勢維持部材を備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持されてもよい。これによれば、係合部材の姿勢が被係合部と係合した姿勢に維持される。その結果、係合部材と被係合部とが係合した状態を維持したままで、係合部材を溝内の任意の位置にスライドさせることができる。
【００１３】
更に、前記姿勢維持部材は、前記挟着部材を支持する支持部を有し、
前記挟着部材が前記被係合部に係合した前記係合部材と連結され、且つ、前記太陽光発電パネルが挟着されていない状態では、前記付勢部が前記溝の内壁を付勢することによって、前記支持部に支持された前記挟着部材の姿勢が前記梁部材から浮いた姿勢に維持されてもよい。これによれば、挟着部材の姿勢が梁部材から浮いた姿勢に維持されることから、挟着部材と梁部材との間に生じる摩擦を低減することができる。その結果、挟着部材が連結された状態の係合部材を、容易に溝内でスライドさせることができる。
【００１４】
また、本発明は、太陽光発電パネルを支持する架台の梁部材に太陽光発電パネルを取り付けるための太陽光発電パネルの取付構造として特定することができる。即ち、本発明は、
前記梁部材の上面に形成され、当該梁部材の延伸方向に延在する溝と、
前記梁部材の上面に形成され、前記溝に沿って延在するとともに前記太陽光発電パネルの側端部を載置可能であって平坦な載置部と、
前記溝の延在方向における任意の位置において、前記溝の内部に挿入されて前記溝の内壁に形成された被係合部に係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着する、
太陽光発電パネルの取付構造としてもよい。
【発明の効果】
【００１５】
本発明によれば、太陽光発電パネルを架台に取り付けるための太陽光発電パネル用取付具において、太陽光発電パネルを安定して支持することができる。
【図面の簡単な説明】
【００１６】
【図１】図１は、実施形態に係る太陽光発電装置の斜視図である。
【図２】図２は、実施形態に係る太陽光発電装置の上面図である。
【図３】図３は、実施形態に係るレール部材をＸ方向と直交する面で切断したときの断面図である。
【図４】図４は、実施形態に係る太陽光発電パネルの取付構造を示す図である。
【図５】図５は、実施形態に係る係合部材の全体斜視図である。
【図６】図６は、実施形態に係る姿勢維持部材の全体斜視図である。
【図７】図７は、実施形態に係る挟着部材のＸ方向視図である。
【図８】図８は、実施形態に係る取付金具がレール部材に取り付けられた状態のＸ方向視図である。
【図９】図９は、太陽光発電パネルが挟着部材によって挟着されることで架台に取り付けられた状態を示す図であって、Ｘ方向と直交する面で切断したときの断面図である。
【図１０】図１０は、太陽光発電アレイにおけるＹ方向の両端に位置する太陽光発電パネルの取り付けに使用可能なエンド用挟着部材を示す図である。
【発明を実施するための形態】
【００１７】
次に、本発明の実施形態について図面に基づいて説明する。以下の説明は例示であり、本発明は以下の内容に限定されるものではない。
【００１８】
［全体構造］
図１は、本実施形態に係る太陽光発電装置１００の全体斜視図である。図２は、本実施形態に係る太陽光発電装置１００の上面図である。なお、図１においては、作図上、太陽光発電パネル５及び取付具の一部のみを図示している。
【００１９】
図１及び図２に示すように、太陽光発電装置１００は、太陽光発電パネル用架台１０（以下、単に「架台１０」という）１０と、この架台１０に取り付けられた複数の太陽光発電パネル５と、太陽光発電パネル５を架台１０に取り付けるための取付金具３０と、を備える。太陽光発電装置１００には、複数の太陽光発電パネル５が縦横２次元的に配列されることにより、太陽光発電アレイ２０が形成されている。本実施形態に係る太陽光発電装置１００は、本発明における太陽光発電パネル用取付具としての取付金具３０を用いた太陽光発電パネル５の取付構造２００を採用することによって、太陽光発電パネル５を安定して架台１０に取り付けることができる。
【００２０】
まず、太陽光発電パネル５について説明する。図１及び図２に示すように、本実施形態に係る太陽光発電パネル５は、略矩形状の板状に形成されている。「太陽光発電パネル」
は、ソーラーパネルや太陽電池モジュールとも呼ばれる。太陽光発電パネル５は、一般的に、表側保護部材と裏側保護部材との間に表側面裏側面発電素子（シリコンセル）が封止されて構成されており、板形状を有している。ここで、本明細書において太陽光発電パネル５の「上面（表側面）」とは、架台１０に設置したときに、架台１０とは反対側に位置する面のことを指す。一方、太陽光発電パネル５の「下面（裏側面）」とは、架台１０に設置したときに、架台１０側に位置する面のことを指す。本実施形態に係る太陽光発電パネル５は、いわゆるダブルガラス構造を採用しており、表裏両側から受光可能な両面受光タイプの発電素子を使用し、且つ、発電素子を保護する表側保護部材及び裏側保護部材をともに透明度の高いガラス板で構成することによって、表裏両面で光を受光して発電可能である。本実施形態に係る太陽光発電パネル５は、即ち、表裏両面を受光面とする両面受光タイプの太陽光発電パネルといえる。両面受光タイプの太陽光発電パネルは、両面で太陽光を取り込むことから、同サイズの片面発電タイプの太陽光発電パネルと比較して発電量を増加させることができる。但し、本実施形態に係る太陽光発電パネル５は、ダブルガラス構造でなくともよい。太陽光発電パネル５は、例えば、表側面側保護部材には光を取り込むためにガラス板を使用し、裏側面側保護部材にはＰＥＴ（ポリエチレンテレフタレート）等のプラスチックシートを使用する一般的な片面発電タイプの太陽光発電パネルであってもよい。太陽光発電パネル５の表側面及び裏側面は、平坦面となっている。また、太陽光発電パネル５を構成するガラスの角には、面取り加工がなされている（図９参照）。
【００２１】
次に、架台１０について説明する。架台１０は、太陽光発電パネル５を取り付けるための台である。図１に示すように、架台１０は、一定間隔に設けられた複数の支柱１と、支柱１の頂部に設けられた受け桟２と、支柱１及び受け桟２を連結する方杖部材４と、受け桟２上に設けられるレール部材３と、を有する。支柱１は、例えば地盤等の内部に先端側が埋め込まれて立設した支柱杭である。各支柱１の頂部には、受け桟２が支柱１の配列方向と直交する方向に延伸する態様で設けられている。受け桟２は、支柱１に対して傾斜した姿勢で取り付けられている。方杖部材４は、一端側が受け桟２に連結されるとともに他端が支柱１に連結されることでこれらの間に斜めに架け渡された斜材である。なお、支柱１に対する受け桟２の傾斜角度は、変更可能であってもよい。
【００２２】
図１に示すように、レール部材３は、受け桟２上に架け渡される横架部材である。レール部材３は、本発明における「梁部材」に相当する。レール部材３は、受け桟２に対して直交する方向に延伸して設けられている。以下、レール部材３及び取付金具３０において、受け桟２側を「下側（下方向）」とし、その反対側を「上側（上方向）」とする。また、レール部材３の延伸方向をＸ方向とし、上面視においてＸ方向と直交する方向、即ち、レール部材３の幅方向をＹ方向とする。本実施形態における架台１０は、複数のレール部材３を有し、各レール部材３はＹ方向に一定間隔を空けて配列されている。
【００２３】
図１及び図２に示すように、レール部材３の上面には、ガイド溝３２がレール部材３の延伸方向、即ち、Ｘ方向に沿って設けられている。詳細については後述するが、ガイド溝３２には、取付金具３０が挿入される。
【００２４】
図２に示すように、レール部材３は、上面に太陽光発電パネル５の側端部を載置することで、太陽光発電パネル５を支持する。太陽光発電パネル５は、Ｙ方向の両側端部を２本のレール部材３，３によって支持される。また、Ｙ方向に隣り合う太陽光発電パネル５，５における互いに対向する側端部は、１本のレール部材３によって支持される。この場合、レール部材３は、Ｙ方向に隣り合う太陽光発電パネル５，５でガイド溝３２を挟むようにして太陽光発電パネル５を支持する。
【００２５】
図３は、レール部材３をＸ方向と直交する面で切断したときの断面図である。図３に示
すように、レール部材３は、Ｘ方向視において左右対称の形状を有している。図３で示す点線で区画されるように、レール部材３は、断面視において略台形状の外形を有するレール本体部３１と、レール本体部３１の上面に開口したガイド溝３２と、ガイド溝３２を挟んでレール本体部３１の上面から上方に向かって突出形成された一対の挟着部材係止片３３，３３と、レール本体部３１の両側面における上端部からＹ方向の外側に向かって延伸する一対のパネル支持フランジ３４，３４と、を有する。
【００２６】
レール本体部３１は、横架部材としての機能をレール部材３に付与するとともに、ガイド溝３２が形成される部分である。レール本体部３１の上面及び下面は、平坦面に形成されている。図１に示すように、レール部材３は、レール本体部３１の下面が受け桟２の上面に当接した状態で受け桟２に架け渡される。レール本体部３１は、レール本体部３１の上面と平行に延在してガイド溝３２の底面を形成する溝下壁３１１と、溝下壁３１１のＹ方向における両端部からＹ方向内側に若干傾斜して上方へ延在する一対の溝側壁３１２，３１２と、一対の溝側壁３１２，３１２の上端部からＹ方向内側に向かって突出形成された一対の溝上壁３１３，３１３とによって、ガイド溝３２を形成する。ガイド溝３２には、後述する係合部材６が挿入される。一対の溝上壁３１３，３１３の先端部同士の間には、ガイド溝３２の開口が形成されている。また、一対の溝上壁３１３，３１３における下面の一部が上方に凹形状となることによって、下方に開口した溝である被係合部３１４，３１４が形成されている。
【００２７】
挟着部材係止片３３は、後述する挟着部材７のＹ方向への移動を規制する部分である。また、パネル支持フランジ３４は、太陽光発電パネル５の側端部を支持する部分である。パネル支持フランジ３４の上面は、レール本体部３１の上面に連なる平坦面であり、レール本体部３１の上面と同一平面上に位置する。
【００２８】
ここで、レール部材３の上面のうち、挟着部材係止片３３の外側の領域、即ち、レール本体部３１の上面とパネル支持フランジ３４の上面に、太陽光発電パネル５の側端部が載置される。この、パネル支持フランジ３４の上面とレール本体部３１の上面とを含んだ構成を、載置部３５と称する。図１に示すように、レール部材３には、一対の載置部３５，３５がガイド溝３２の両側に設けられており、載置部３５，３５は、ガイド溝３２に沿うようにして延在している。
【００２９】
図４は、本実施形態に係る太陽光発電パネルの取付構造２００を示す図である。図４に示すように、太陽光発電パネル５の取付構造２００は、上述したレール部材３に形成されたガイド溝３２及び載置部３５と、取付金具３０と、を含んで構成される。
【００３０】
［取付金具］
以下、本発明における太陽光発電パネル用取付具としての取付金具３０について説明する。本実施形態に係る取付金具３０は、レール部材３の上面に形成された載置部３５に載置された太陽光発電パネル５の側端部を上方から押圧することによって、太陽光発電パネル５を架台１０に取り付ける。図４に示すように、取付金具３０は、係合部材６と、挟着部材７と、姿勢維持部材８と、止着用ボルト９と、を含んで構成されている。なお、図４に示す挟着部材７は、太陽光発電アレイ２０においてＹ方向に隣り合う太陽光発電パネル５，５の取り付けに使用されるミドル用挟着部材７である。太陽光発電アレイ２０におけるＹ方向の両端に位置する太陽光発電パネル５の取り付けには、図１０に示すエンド用挟着部材７Ａを使用してもよい。以下、取付金具３０の各構成について説明する。
【００３１】
図４に示すように、止着用ボルト９は、所謂キャップボルト（六角穴付ボルト）であり、ネジ山が形成されたネジ軸部９１と、ネジ軸部９１の頂部に連設されたネジ頭部９２と、を有している。
【００３２】
図５は、係合部材６の全体斜視図である。係合部材６は、金属材料（例えば、アルミ材料）によってブロック状に形成されている。係合部材６は、ガイド溝３２の延在方向（即ち、Ｘ方向）における任意の位置においてガイド溝３２の内部に挿入可能であり、ガイド溝３２内をガイド溝３２の延在方向にスライド自在に構成されている。また、係合部材６は、ガイド溝３２の内壁に係合することによって、係合部材６に連結された挟着部材７をレール部材３に設置する。
【００３３】
係合部材６は、Ｘ方向視において左右対称の形状を有している。また、係合部材６のＸ方向における両端面は、Ｘ方向と直交する平坦面となっている。図５に示すように、係合部材６の上部であってＹ方向の両側端部には、一対の係合片６１，６１が上方に突出形成されている。係合片６１，６１は、Ｘ方向と平行に延在しており、レール部材３のガイド溝３２内に形成された被係合部３１４に係合する（図８参照）。また、係合部材６の下部であってＹ方向における中央部分は、嵌入部６２が下方に突出形成されている。嵌入部６２は、後述する姿勢維持部材８に嵌入する。嵌入部６２のＹ方向における両端面は、Ｘ方向と直交する平坦面となっている。嵌入部６２の下端面は、水平面と平行な平坦面となっている。また、係合部材６のＹ方向における中央には、ネジ山が形成されたネジ孔６３が上下に貫通している。ネジ孔６３には、止着用ボルト９のネジ軸部９１が螺合する。
【００３４】
図６は、姿勢維持部材８の全体斜視図である。姿勢維持部材８は、樹脂材料によって形成されており、係合部材６に連結して使用される。姿勢維持部材８は、ガイド溝３２の内壁を付勢することによって、係合部材６の姿勢を被係合部３１４に係合した姿勢に維持する。また、姿勢維持部材８は、太陽光発電パネル５が挟着されていない状態において、ガイド溝３２の内部に挿入された係合部材６に連結された挟着部材７の姿勢を、レール部材３から浮いた姿勢に維持する。
【００３５】
図６に示すように、姿勢維持部材８は、Ｘ方向に対向配置されてＸ方向と直交する一対の第１保持壁８１，８１と、一対の第１保持壁８１，８１の下端同士を連結するとともに開口を有する上面視略矩形状の底壁８３と、底壁８３から立設して一対の第１保持壁８１，８１の両側縁における下端部同士を連結するとともにＹ方向と直交する一対の第２保持壁８２，８２と、一対の第１保持壁８１，８１の上端から上方に延在する一対の挟着部材支持片８４，８４と、一対の挟着部材支持片８４，８４から互いに対向するようにして突出形成された一対の規制突起８５，８５と、Ｘ方向視において収容部の下部に一端が接続された半円弧形状を形成するように湾曲した弾性片８６と、を有する。挟着部材支持片８４は、本発明における「支持部」に相当する。また、弾性片８６は、本発明における「付勢部」に相当する。底壁８３には、止着用ボルト９のネジ軸部９１が挿通可能な挿通開口８３１が形成されている。
【００３６】
姿勢維持部材８に係合部材６の嵌入部６２を嵌入することによって、係合部材６が姿勢維持部材８を装着するようにして係合部材６と姿勢維持部材８とが連結される。この状態では、係合部材６のＸ方向における両端面に第１保持壁８１が当接し、嵌入部６２の下面に底壁８３が当接し、嵌入部６２のＹ方向における両端面に第２保持壁８２が当接し、係合部材６の上面に規制突起８５が当接することによって、姿勢維持部材８に対する係合部材６の相対移動が規制されている。
【００３７】
図７Ａは、挟着部材７のＸ方向視図である。図７Ｂは、挟着部材７の上面視図である。図７Ａに示すように、挟着部材７は、Ｘ方向視において左右対称の形状を有している。挟着部材７は、ゴム材料で形成されて太陽光発電パネル５に当接するゴム製当接部７２と、ゴム製当接部７２を保持する保持部７１と、を含んで構成される。保持部７１は、金属材料（例えば、アルミ材料）で形成されており、上面視において矩形状の外形を有する。な
お、保持部７１の材質はアルミ材料に限定されない。
【００３８】
保持部７１は、水平に延在する板状の本体部７１１と、本体部７１１のＹ方向両側端に連結されて上方向に延在する板状の一対の鉛直部７１２，７１２と、一対の鉛直部７１２，７１２の上端に連結されてＹ方向外側に水平に延在する板状の一対の水平部７１３，７１３と、一対の鉛直部７１２，７１２の下端から下方向に延在する一対の板状の規制部７１４，７１４と、一対の規制部７１４，７１４の夫々の先端部からＹ方向の外側に突出形成された突起である一対のゴム止め部７１５，７１５と、を有する。本体部７１１のＹ方向における中央には、貫通孔７１６が上下に貫通している。貫通孔７１６には、止着用ボルト９のネジ軸部９１が挿入される。貫通孔７１６の径は、止着用ボルト９のネジ軸部９１の径よりも大きく、ネジ頭部９２の径よりも小さい。鉛直部７１２と規制部７１４のＹ方向外側における端面は、互いに連なることによって、後述するゴム製当接部７２の側端面当接部７２ｂを保持する面である垂直保持面７１ｂを形成している。水平部７１３の下面には、ゴム製当接部７２を連結するための溝である連結溝７１７が形成されている。また、水平部７１３の下面うち、連結溝７１７以外の領域は、後述するゴム製当接部７２の上面当接部７２ａを保持する面である水平保持面７１ａを形成している。水平保持面７１ａは、本発明に係る「水平保持部」に相当する。また、垂直保持面７１ｂは、本発明に係る「垂直保持部」に相当する。
【００３９】
ゴム製当接部７２は、Ｘ方向視において略Ｌ字形状を有している。ゴム製当接部７２は、水平保持面７１ａに沿うようにして延在する上面当接部７２ａと、垂直保持面７１ｂに沿うようにして延在する側端面当接部７２ｂと、を有する。上面当接部７２ａの下面には、Ｘ方向に延在する複数の滑り止め突起７２１がＹ方向に並んで形成されている。また、上面当接部７２ａの上面には、保持部７１の連結溝７１７に係合することで保持部７１とゴム製当接部７２とを連結する連結片７２２が形成されている。
【００４０】
図７に示すように、挟着部材７では、水平保持面７１ａがゴム製当接部７２の上面当接部７２ａにおける上面に当接しており、垂直保持面７１ｂがゴム製当接部７２の側端面当接部７２ｂにおけるＹ方向内側端面に当接している。そして、ゴム止め部７１５がゴム製当接部７２の側端面当接部７２ｂにおける下端面に当接することで、側端面当接部７２ｂは、保持部７１における水平部７１３の水平保持面７１ａとゴム止め部７１５とによって挟持された状態となっている。
【００４１】
［取付方法］
次に、本実施形態に係る取付金具３０を用いた太陽光発電パネル５の架台１０への取付方法について説明する。
【００４２】
図８は、本実施形態に係る取付金具３０がレール部材３に取り付けられた状態のＸ方向視図である。図８では、挟着部材７がガイド溝３２に係合した係合部材６と連結され、且つ、太陽光発電パネル５が載置部３５に載置されずに挟着部材７によって挟着されていない状態を示している。図８に示すように、姿勢維持部材８が装着された状態でレール部材３のガイド溝３２の内部に挿入された係合部材６に、止着用ボルト９を介して挟着部材７が連結されることで、取付金具３０がレール部材３に設置される。より詳細には、止着用ボルト９のネジ頭部９２を上にしてネジ軸部９１が挟着部材７の貫通孔７１６を挿通した状態で係合部材６のネジ孔６３に螺合することによって、係合部材６に挟着部材７が連結される。そして、係合部材６をガイド溝３２の開口又はガイド溝３２のＸ方向における端部から挿入し、係合片６１をレール部材３のガイド溝３２の内部に形成された被係合部３１４に係合させる。このとき、挟着部材７の一対の規制部７１４，７１４同士の間に挟着部材係止片３３，３３が挟まれることで、挟着部材７がガイド溝３２の外部において載置部３５に対向するようにして設置される。このようにして、取付金具３０がレール部材３
に取り付けられる。この状態では、挟着部材係止片３３が一対の規制部７１４，７１４のＹ方向内側面に当接することによって、挟着部材７のＹ方向への移動が規制されている。
【００４３】
また、この状態では、係合片６１が被係合部３１４に係合していることから、係合部材６の上方向への移動とＹ方向への移動が規制されている。更に、姿勢維持部材８の弾性片８６がガイド溝３２の溝下壁３１１を付勢することによって、溝下壁３１１からの反力により係合部材６が上方向に付勢される。これにより、係合片６１が被係合部３１４に押し付けられ、係合部材６の姿勢は、係合片６１と被係合部３１４とが係合した姿勢に維持される。一方で、係合部材６は、ガイド溝３２内をＸ方向にスライド自在に構成されている。その結果、係合部材６が被係合部３１４に係合した状態を維持したままで、係合部材６をガイド溝３２内の任意の位置にスライドさせることができる。更に、姿勢維持部材８の挟着部材支持片８４の上端部が挟着部材７に当接することによって、挟着部材７が挟着部材支持片８４に支持され、挟着部材７の姿勢がレール部材３の上面から浮いた姿勢に維持される。これにより、挟着部材７がレール部材３の上面に当接した状態と比較して、挟着部材７とレール部材３との間に生じる摩擦抵抗が低減される。その結果、挟着部材７が連結された状態の係合部材６を、容易にガイド溝３２内でスライドさせることができる。
【００４４】
図９は、本実施形態に係る取付金具３０によって、太陽光発電パネル５が挟着部材７によって挟着されることで架台１０に取り付けられた状態を示す図であって、Ｘ方向と直交する面で切断したときの断面図である。図９に示すように、太陽光発電パネル５の側端部が載置部３５に載置され、挟着部材７と載置部３５に太陽光発電パネル５が挟まれた状態で、止着用ボルト９を締めることで、太陽光発電パネル５の上面にゴム製当接部７２の上面当接部７２ａが当接し、太陽光発電パネル５の側端面にゴム製当接部７２の側端面当接部７２ｂが当接した状態となる。この状態となることで、太陽光発電パネル５の側端部の上面をゴム製当接部７２の上面当接部７２ａが押圧して、載置部３５と挟着部材７との間に太陽光発電パネル５が挟着される。これにより、太陽光発電パネル５が架台１０に取り付けられる。図１及び図２に示すように、太陽光発電パネル５は、Ｙ方向における両側端部において挟着部材７とレール部材３とによって挟持される。ここで、規制部７１４，７１４の先端が載置部３５に当接することによって、挟着部材７がそれ以上レール部材３に接近することが規制されている。これにより、挟着部材７がそれ以上太陽光発電パネル５を押圧して太陽光発電パネル５が破損することが抑制されている。
【００４５】
ここで、図９に示すように、太陽光発電パネル５が架台１０に取り付けられた状態では、太陽光発電パネル５は、載置部３５によって下方から支持されている。ここで、載置部３５はガイド溝３２に沿って延在して設けられていることから、太陽光発電パネル５の側端部の略全域を支持することができる。これにより、太陽光発電パネル５を支持する支持面の面積を十分に確保することができるため、太陽光発電パネル５を安定して支持することができる。その結果、太陽光発電パネル５が撓むことを抑制することができる。更に、本実施形態に係る取付構造２００は、太陽光発電パネル５の側端部をガイド溝３２に沿って延在する載置部３５に載置することによって太陽光発電パネル５を支持している。これにより、図２に示すように、太陽光発電パネル５がレール部材３を跨ぐことなく太陽光発電パネル５を支持することができる。そのため、レール部材３に跨って太陽光発電パネル５が支持される構造と比較して、太陽光発電パネル５の裏側面において取付レールによって隠蔽される部分の面積を小さく抑えることができる。その結果、表裏両面を受光面とする両面受光タイプの太陽光発電パネル５を取り付けた場合であっても、裏側面における受光量を確保することができ、発電効率を向上させることができる。
【００４６】
また、挟着部材７における太陽光発電パネル５との当接箇所には、ゴム材料で形成されたゴム製当接部７２が設けられている。これにより、ガラス板で構成された太陽光発電パネル５が挟着部材７によって破損することを抑制することができる。また、太陽光発電パ
ネル５を構成するガラスの膨張を吸収することができる。
【００４７】
ここで、ゴム製当接部７２の側端面当接部７２ｂが保持部７１における水平保持面７１ａとゴム止め部７１５との間に挟持された状態となっていることから、太陽光発電パネル５によって押圧されたゴム製当接部７２が側端面当接部７２ｂの下端から逃げることが抑制されている。これにより、太陽光発電パネル５を架台１０に取り付けた状態において、ゴム製当接部７２を圧縮した状態にしておくことができる。その結果、ゴム製当接部７２が引っ張られた状態にしておく場合と比較して、ゴムが劣化することを抑制することができる。また、ゴム止め部７１５が載置部３５に当接する規制部７１４の先端に形成されており、太陽光発電パネルのガラス板には面取り加工がされていることから、ガラス板が膨張したときにゴム止め部７１５とガラス板とが接触し難くなっている。
【００４８】
図１０は、太陽光発電アレイ２０におけるＹ方向の両端に位置する太陽光発電パネル５の取り付けに使用可能なエンド用挟着部材７Ａを示す図である。図８に示すように、エンド用挟着部材７は、Ｙ方向の片側のみにゴム製当接部７２及び水平部７１３が設けられている点で挟着部材７と異なる。エンド用挟着部材７は、片側に設けられたゴム製当接部７２によって太陽光発電アレイ２０におけるＹ方向の両端に位置する太陽光発電パネル５を挟着することができる。
【００４９】
［作用・効果］
以上のように、レール部材３の上面には、レール部材３の延伸方向に延在するガイド溝３２と、ガイド溝３２に沿って延在するとともに太陽光発電パネル５の側端部を載置可能であって平坦な載置部３５と、が形成されている。そして、取付金具３０は、ガイド溝３２の延在方向における任意の位置において、溝ガイドの内部に挿入されてガイド溝３２の内壁に形成された被係合部３１４と係合する係合部材６と、被係合部３１４に係合した係合部材６に連結されることでガイド溝３２の外部において載置部３５に対向するようにして設置される挟着部材７と、を備える。そして、挟着部材７は、載置部３５に載置された太陽光発電パネル５を載置部３５へ押圧することによって、載置部３５との間に太陽光発電パネル５を挟着する。
【００５０】
このような取付金具３０によれば、載置部３５がガイド溝３２に沿って延在して設けられていることから、太陽光発電パネル５の側端部の略全域を支持することができる。これにより、太陽光発電パネル５を支持する支持面の面積を十分に確保することができるため、太陽光発電パネル５を安定して支持することができる。また、太陽光発電パネル５がレール部材３を跨ぐことなく太陽光発電パネル５を支持することから、太陽光発電パネル５の裏側面においてレール部材３によって隠蔽される部分の面積を小さく抑えることができる。その結果、両面受光タイプの太陽光発電パネル５を取り付けた場合において発電効率を向上させることができる。
【００５１】
また、挟着部材７は、ゴム材料で形成されて太陽光発電パネル５との当接箇所に設けられたゴム製当接部７２を有している。これによれば、ガラス板で構成された太陽光発電パネル５が挟着部材７との当接によって破損することを抑制することができる。また、太陽光発電パネル５を構成するガラス板の膨張を吸収することができる。
【００５２】
更に、挟着部材７は、ゴム製当接部７２を保持する保持部７１を有している。また、ゴム製当接部７２は、太陽光発電パネル５の上面に当接する上面当接部７２ａと、上面当接部７２ａに連なるとともに太陽光発電パネル５の側端面に当接する側端面当接部７２ｂと、を有している。そして、保持部７１は、ゴム製当接部７２の上面当接部７２ａにおける上面に当接する水平保持面７１ａと、側端面当接部７２ｂにおける側端面に当接する垂直保持面７１ｂと、側端面当接部７２ｂにおける下端面に当接することで、水平保持面７１
ａとによってゴム製当接部７２を挟持するゴム止め部７１５と、を有する。これによれば、太陽光発電パネル５によって押圧されたゴム製当接部７２が側端面当接部７２ｂの下端から逃げることが抑制されている。これにより、太陽光発電パネル５を架台１０に取り付けた状態において、ゴム製当接部７２を圧縮した状態にしておくことができる。その結果、ゴム製当接部７２が引っ張られた状態にしておく場合と比較して、ゴム製当接部７２を構成するゴムの経年劣化を抑制することができる。
【００５３】
更に、係合部材６に連結される姿勢維持部材８は、ガイド溝３２の内壁を付勢する弾性片８６を有している。そして、弾性片８６がガイド溝３２の内壁である溝下壁３１１を付勢することによって、係合部材６の姿勢がガイド溝３２の内壁に形成された被係合部３１４と係合した姿勢に維持される。これによれば、係合部材６と被係合部３１４とが係合した状態を維持したままで、係合部材６をガイド溝３２内の任意の位置にスライドさせることができる。
【００５４】
更に、姿勢維持部材８は、挟着部材７を支持する挟着部材支持片８４を有している。そして、挟着部材７が被係合部３１４に係合した係合部材６と連結され、且つ、太陽光発電パネル５が挟着されていない状態では、弾性片８６がガイド溝の内壁である溝下壁３１１を付勢することによって、挟着部材支持片８４に支持された挟着部材７の姿勢がレール部材３から浮いた姿勢に維持される。これによれば、挟着部材７とレール部材３との間に生じる摩擦を低減することができる。その結果、挟着部材７が連結された状態の係合部材６を、容易にガイド溝３２内でスライドさせることができる。
【符号の説明】
【００５５】
１００・・・太陽光発電装置
１０・・・架台
２０・・・太陽光発電アレイ
３０・・・取付金具（太陽光発電パネル用取付具）
３・・・レール部材（梁部材）
３１・・・ガイド溝（溝）
３５・・・載置部
５・・・太陽光発電パネル
６・・・係合部材
７・・・挟着部材
８・・・姿勢維持部材
９・・・止着用ボルト
【図１】
2019146306.tif 000003
【図２】
2019146306.tif 000004
【図３】
2019146306.tif 000005
【図４】
2019146306.tif 000006
【図５】
2019146306.tif 000007
【図６】
2019146306.tif 000008
【図７】
2019146306.tif 000009
【図８】
2019146306.tif 000010
【図９】
2019146306.tif 000011
【図１０】
2019146306.tif 000012
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
太陽光発電パネルを支持する架台の梁部材に太陽光発電パネルを取り付けるための太陽光発電パネル用取付具であって、
前記梁部材の上面には、当該梁部材の延伸方向に延在する溝と、前記溝に沿って延在するとともに前記太陽光発電パネルの側端部を載置可能であって平坦な載置部と、が形成されており、
前記太陽光発電パネル用取付具は、
前記溝の延在方向における任意の位置において、前記溝の内部に挿入されて前記溝の内壁に形成された被係合部と係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記挟着部材は、ゴム材料で形成されて前記太陽光発電パネルとの当接箇所に設けられたゴム製当接部と、前記ゴム製当接部を保持する保持部と、を有し、
前記ゴム製当接部は、前記太陽光発電パネルの上面に当接する上面当接部と、前記上面当接部に連なるとともに前記太陽光発電パネルの側端面に当接する側端面当接部と、を有し、
前記保持部は、前記ゴム製当接部の前記上面当接部における上面に当接する水平保持部と、前記ゴム製当接部の前記側端面当接部における側端面に当接する垂直保持部と、前記ゴム製当接部の前記側端面当接部における下端面に当接することで、前記水平保持部とによって前記ゴム製当接部を挟持するゴム止め部と、を有する、
太陽光発電パネル用取付具。
【請求項２】
太陽光発電パネルを支持する架台の梁部材に太陽光発電パネルを取り付けるための太陽光発電パネル用取付具であって、
前記梁部材の上面には、当該梁部材の延伸方向に延在する溝と、前記溝に沿って延在するとともに前記太陽光発電パネルの側端部を載置可能であって平坦な載置部と、が形成されており、
前記太陽光発電パネル用取付具は、
前記溝の延在方向における任意の位置において、前記溝の内部に挿入されて前記溝の内
壁に形成された被係合部と係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記係合部材に連結される姿勢維持部材を更に備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持され、
前記姿勢維持部材は、前記挟着部材を支持する支持部を更に有し、
前記挟着部材が前記被係合部に係合した前記係合部材と連結され、且つ、前記太陽光発電パネルが挟着されていない状態では、前記付勢部が前記溝の内壁を付勢することによって、前記支持部に支持された前記挟着部材の姿勢が前記梁部材から浮いた姿勢に維持される、
太陽光発電パネル用取付具。
【請求項３】
太陽光発電パネルを支持する架台の梁部材に太陽光発電パネルを取り付けるための太陽光発電パネル用取付具であって、
前記梁部材の上面には、当該梁部材の延伸方向に延在する溝と、前記溝に沿って延在するとともに前記太陽光発電パネルの側端部を載置可能であって平坦な載置部と、が形成されており、
前記太陽光発電パネル用取付具は、
前記溝の延在方向における任意の位置において、前記溝の内部に挿入されて前記溝の内壁に形成された被係合部と係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記係合部材に連結される姿勢維持部材を更に備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持され、
前記付勢部は、前記溝の延在方向に沿うように前記溝の内壁に線接触する、
太陽光発電パネル用取付具。
【請求項４】
太陽光発電パネルを支持する架台の梁部材に太陽光発電パネルを取り付けるための太陽光発電パネルの取付構造であって、
前記梁部材の上面に形成され、当該梁部材の延伸方向に延在する溝と、
前記梁部材の上面に形成され、前記溝に沿って延在するとともに前記太陽光発電パネルの側端部を載置可能であって平坦な載置部と、
前記溝の延在方向における任意の位置において、前記溝の内部に挿入されて前記溝の内壁に形成された被係合部に係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記挟着部材は、ゴム材料で形成されて前記太陽光発電パネルとの当接箇所に設けられたゴム製当接部と、前記ゴム製当接部を保持する保持部と、を有し、
前記ゴム製当接部は、前記太陽光発電パネルの上面に当接する上面当接部と、前記上面当接部に連なるとともに前記太陽光発電パネルの側端面に当接する側端面当接部と、を有
し、
前記保持部は、前記ゴム製当接部の前記上面当接部における上面に当接する水平保持部と、前記ゴム製当接部の前記側端面当接部における側端面に当接する垂直保持部と、前記ゴム製当接部の前記側端面当接部における下端面に当接することで、前記水平保持部とによって前記ゴム製当接部を挟持するゴム止め部と、を有する、
太陽光発電パネルの取付構造。
【請求項５】
太陽光発電パネルを支持する架台の梁部材に太陽光発電パネルを取り付けるための太陽光発電パネルの取付構造であって、
前記梁部材の上面に形成され、当該梁部材の延伸方向に延在する溝と、
前記梁部材の上面に形成され、前記溝に沿って延在するとともに前記太陽光発電パネルの側端部を載置可能であって平坦な載置部と、
前記溝の延在方向における任意の位置において、前記溝の内部に挿入されて前記溝の内壁に形成された被係合部に係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記係合部材に連結される姿勢維持部材を更に備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持され、
前記姿勢維持部材は、前記挟着部材を支持する支持部を更に有し、
前記挟着部材が前記被係合部に係合した前記係合部材と連結され、且つ、前記太陽光発電パネルが挟着されていない状態では、前記付勢部が前記溝の内壁を付勢することによって、前記支持部に支持された前記挟着部材の姿勢が前記梁部材から浮いた姿勢に維持される、
太陽光発電パネルの取付構造。
【請求項６】
太陽光発電パネルを支持する架台の梁部材に太陽光発電パネルを取り付けるための太陽光発電パネルの取付構造であって、
前記梁部材の上面に形成され、当該梁部材の延伸方向に延在する溝と、
前記梁部材の上面に形成され、前記溝に沿って延在するとともに前記太陽光発電パネルの側端部を載置可能であって平坦な載置部と、
前記溝の延在方向における任意の位置において、前記溝の内部に挿入されて前記溝の内壁に形成された被係合部に係合する係合部材と、
前記被係合部に係合した前記係合部材に連結されることで前記溝の外部において前記載置部に対向するようにして設置される挟着部材と、を備え、
前記挟着部材は、前記載置部に載置された前記太陽光発電パネルを前記載置部へ押圧することによって、前記載置部との間に前記太陽光発電パネルを挟着し、
前記係合部材に連結される姿勢維持部材を更に備え、
前記姿勢維持部材は、前記溝の内壁を付勢する付勢部を有し、
前記付勢部が前記溝の内壁を付勢することによって、前記係合部材の姿勢が前記被係合部と係合した姿勢に維持され、
前記付勢部は、前記溝の延在方向に沿うように前記溝の内壁に線接触する、
太陽光発電パネルの取付構造。